(57)【要約】      （修正有）【課題】脱衣する順番に円滑、容易に掛けることが可能であるとともに、身に付ける順番に、円滑に取り外して着衣することが可能で、未使用時にハンガー自体を保持・保管することが可能なハンガーセットの提供。【解決手段】複数のハンガーが衣類の種類別の形状に対応した形状を有し、複数のハンガー懸架部２２が、未使用時には平坦の状態となるように、さらに、複数のハンガー懸架部２２のうち、フレーム部２１の上方側に配設されたもの程、使用時における懸架部位Ｘが使用者により近接して突出するように配設されてなり、脱衣順に、対応する形状の複数のハンガーにそれぞれ掛けた後に、衣類を掛けたハンガーのそれぞれを、ハンガー懸架部２２に、その下方側に配設されたものから順番に円滑に懸架することが可能であるとともに、ハンガー懸架部２２の、上方側に配設されたものから順番にハンガー１を円滑に脱離させて着衣・収納する。【選択図】図１
0003118371.tif 000002
【実用新案登録請求の範囲】
【請求項１】
使用者が脱いだ衣類を掛ける複数のハンガーと、フレーム部及び前記フレーム部に配設された複数のハンガー懸架部を有する懸架本体とを備えたハンガーセットであって、
複数の前記ハンガーが、それぞれ前記衣類の種類別の形状に対応した形状を有し、
前記ハンガー懸架部が、未使用時には前記フレーム部内に鉛直方向に整列して平坦の状態となるように、また使用時には使用者に向かって突出した状態となるように、前記フレーム部内を水平軸周りに回動・固定可能に枢着され、さらに、複数の前記ハンガー懸架部のうち、前記フレーム部の上方側に配設されたもの程、使用時における懸架部位が使用者により近接して突出するように配設されてなり、
使用者が脱いだ衣類を、脱衣順に、対応する形状の複数の前記ハンガーにそれぞれ掛けた後に、衣類を掛けた前記ハンガーのそれぞれを、前記ハンガー懸架部に、その下方側に配設されたものから順番に円滑に懸架することが可能であるとともに、前記ハンガー懸架部の、上方側に配設されたものから順番に前記ハンガーを円滑に脱離させて着衣・収納することが可能であることを特徴とするハンガーセット。
【請求項２】
未使用時に、複数の前記ハンガーを整列させた状態で保持することが可能なハンガー保持体をさらに備えた請求項１に記載のハンガーセット。
【請求項３】
前記懸架本体が、その上端側に、水平方向に回転自在な吊り下げ部を有する請求項１又は２に記載のハンガーセット。
【請求項４】
前記懸架本体の前記フレーム部が、上下に縦長の長方形状の枠体であり、かつ前記ハンガー懸架部が、長方形状の板状体である請求項１〜３のいずれかに記載のハンガーセット。
【請求項５】
前記ハンガー懸架部が、使用者側に突出した先端側に懸架用溝を有し、かつ前記ハンガーが、上端側に前記懸架用溝と着脱自在な突起を有する請求項１〜４のいずれかに記載のハンガーセット。
【請求項６】
複数の前記ハンガーとして、それぞれ、小物類用、上着用、ネクタイ用、ズボン用及びシャツ用に対応するものを含み、これらを脱衣、脱着順に、前記懸架本体のハンガー懸架部に、その下方側に配設されたものから順番に上方側に向かって円滑に懸架することが可能な請求項１〜５のいずれかに記載のハンガーセット。
【請求項７】
前記ハンガー保持体が、上端側に、水平方向に回転自在な吊り下げ部を有するとともに、水平方向に整列した、前記ハンガーの突起と着脱自在なハンガー保持用溝を有する請求項１〜６のいずれかに記載のハンガーセット。
【考案の詳細な説明】
【技術分野】
【０００１】
本考案は、ハンガーセットに関する。さらに詳しくは、衣類の脱衣時（例えば、帰宅直後における外出着から普段着に着替える時、及び家を出る時における普段着から外出着に着替える時）等に、衣類を脱衣する順番に、皺や型崩れを発生させることなく、円滑かつ容易に掛けることが可能であるとともに、衣類を身に付ける順番に、外れたりズリ落ちたりさせることなく、円滑に取り外して着衣することが可能で、さらに、未使用時にハンガー自体を保持・保管することが可能なハンガーセットに関する。
【背景技術】
【０００２】
従来から汎用されているハンガーは、吊り下げ部、上着掛け用等の湾曲部及びズボン掛け用等の横桟部を有する単一形状のものであり、上着、ズボン、シャツ、ネクタイ等の衣類の種類が異なる場合であっても、通常はこのような単一形状のハンガーに脱いだ衣類を掛けざるを得なかった。この場合、例えば、ズボンを脱いで横桟部に掛ける場合、きちんと折り目を揃えて、ハンガーに掛けようとすると、ズボンを掛ける横桟部が先に脱いだ上着の内側に隠れてしまい、一旦、上着をずらしたり、上着を外してからズボンだけを横桟部に掛けなければならず、非常に面倒な作業にならざるを得ないとともに、皺や型崩れを発生させることがあった。また、シャツ等は、先に脱いだ上着又はズボンの上に掛けることになるが、すでに掛けてある大きなサイズの上着等の上に小さなサイズのシャツ等を掛けることは極めて困難であり、皺や型崩れを発生させることがあるとともに、掛けた後の見映えも悪くならざるを得なかった。このように、従来から汎用されているハンガーは、脱ぐ順番に衣類を掛けるのには非常に不便なものであった。また、脱衣して掛けておいた外出着を再度身に付ける場合、サイズの小さなシャツを無理やりサイズの大きな上着から引き剥がさなければならないのとともに、ハンガーが個々の異なった衣類の形状に対応したものではないため、外れたりズリ落ちたりして、取り外しが面倒で厄介なことにならざるを得なかった。また、衣類を脱ぐ時には上着、ズボン等のポケットから小物類を出す場合が多いが、通常、これらの専用の置き場はなく、便宜上、手近の食器棚、机、箪笥の上等の空きスペースに置くしかないことから、キチンと整理することができず紛失したり、再度身に付ける際に置き忘れの原因となる等、極めて不都合であった。さらに、単一形状のハンガーを複数個用いる必要があるとともに、ハンガーの保持・保管場所も一定せず、紛失してしまうことが多かった。
【０００３】
このような不都合を解消するために、「本体部材と吊り下げ部材と複数個の衣紋掛掛合部材とよりなるものであり、これらは合成樹脂成形品よりなり、本体部材は扁平な板乃至閉ループ枠よりなり、この上端にはフック乃至リングよりなる吊り下げ部材が結合してあり、この本体部材の表裏両面には、各衣紋掛掛合部材が少なくとも上下二段それぞれの上端において、水平軸周りに回動自在に枢着してあり、本体部材と衣紋掛掛合部材との枢軸部は、本体部材に水平方向の枢軸が一体に設けてあって、各段ごとに表裏の衣紋掛掛合部材は共通の枢軸によって本体部材と枢軸してあるとともに、各衣紋掛掛合部材は、それぞれ本体部材に対し垂下させてあり、これら上下の衣紋掛掛合部材の掛合部は上段のもの程下段のものゝ掛合部より前記本体部材の表面または裏面から離反させて形成してある衣紋掛整理用ハンガー」が開示されている（特許文献１参照）。
【特許文献１】実公平６−４１４９６号公報
【考案の開示】
【考案が解決しようとする課題】
【０００４】
しかしながら、特許文献１に開示された衣紋掛整理用ハンガーは、「通常の上着、ズボンまたはスカートを一着掛合できる衣紋掛を数個単一の整理用ハンガーに、掛合離反できるようにするとともに上下多段に掛合でき場所を取らず、しかも各段の衣紋掛の取外しが容易で、かつ、整理用ハンガーの表裏両面が利用できる」という利点を有するものの、脱衣・着衣する衣類の脱着順序、個々の衣類の異なった形状、小物類の取り扱い、及びハンガーの保持・保管等についての考慮がなされておらず、脱着時の簡便さ、円滑さ等の面で必ずしも十分に満足し得るものではないという問題があった。
【０００５】
本考案は、上記問題を解決するためになされたものであり、衣類・小物類の脱衣・脱着時（例えば、帰宅直後における外出着から普段着に着替える時、及び家を出る時における普段着から外出着に着替える時）等に、衣類、小物類等を脱衣・脱着する順番に、皺や型崩れを発生させたり紛失・損傷させることなく、円滑かつ容易に掛けたり収納することが可能であるとともに、衣類、小物類等を身に付ける順番に、外れたりズリ落ちたりさせることなく、円滑に取り外して着衣したりポケットに収納することが可能で、さらに、未使用時にハンガー自体を保持・保管することが可能なハンガーセットを提供することを目的とする。
【課題を解決するための手段】
【０００６】
上記目的を達成するため、本考案によれば、以下のハンガーセットが提供される。
【０００７】
［１］使用者が脱いだ衣類を掛ける複数のハンガーと、フレーム部及び前記フレーム部に配設された複数のハンガー懸架部を有する懸架本体とを備えたハンガーセットであって、複数の前記ハンガーが、それぞれ前記衣類の種類別の形状に対応した形状を有し、前記ハンガー懸架部が、未使用時には前記フレーム部内に鉛直方向に整列して平坦の状態となるように、また使用時には使用者に向かって突出した状態となるように、前記フレーム部内を水平軸周りに回動・固定可能に枢着され、さらに、複数の前記ハンガー懸架部のうち、前記フレーム部の上方側に配設されたもの程、使用時における懸架部位が使用者により近接して突出するように配設されてなり、使用者が脱いだ衣類を、脱衣順に、対応する形状の複数の前記ハンガーにそれぞれ掛けた後に、衣類を掛けた前記ハンガーのそれぞれを、前記ハンガー懸架部に、その下方側に配設されたものから順番に円滑に懸架することが可能であるとともに、前記ハンガー懸架部の、上方側に配設されたものから順番に前記ハンガーを円滑に脱離させて着衣・収納することが可能であることを特徴とするハンガーセット。
【０００８】
［２］未使用時に、複数の前記ハンガーを整列させた状態で保持することが可能なハンガー保持体をさらに備えた前記［１］に記載のハンガーセット。
【０００９】
［３］前記懸架本体が、その上端側に、水平方向に回転自在な吊り下げ部を有する前記［１］又は［２］に記載のハンガーセット。
【００１０】
［４］前記懸架本体の前記フレーム部が、上下に縦長の長方形状の枠体であり、かつ前記ハンガー懸架部が、長方形状の板状体である前記［１］〜［３］のいずれかに記載のハンガーセット。
【００１１】
［５］前記ハンガー懸架部が、使用者側に突出した先端側に懸架用溝を有し、かつ前記ハンガーが、上端側に前記懸架用溝と着脱自在な突起を有する前記［１］〜［４］のいずれかに記載のハンガーセット。
【００１２】
［６］複数の前記ハンガーとして、それぞれ、小物類用、上着用、ネクタイ用、ズボン用及びシャツ用に対応するものを含み、これらを脱衣、脱着順に、前記懸架本体のハンガー懸架部に、その下方側に配設されたものから順番に上方側に向かって円滑に懸架することが可能な前記［１］〜［５］のいずれかに記載のハンガーセット。
【００１３】
［７］前記ハンガー保持体が、上端側に、水平方向に回転自在な吊り下げ部を有するとともに、水平方向に整列した、前記ハンガーの突起と着脱自在なハンガー保持用溝を有する前記［１］〜［６］のいずれかに記載のハンガーセット。
【考案の効果】
【００１４】
本考案によって、衣類・小物類の脱衣・脱着時（例えば、帰宅直後における外出着から普段着に着替える時、及び家を出る時における普段着から外出着に着替える時）等に、衣類、小物類等を脱衣・脱着する順番に、皺や型崩れを発生させたり紛失・損傷させることなく、円滑かつ容易に掛けたり収納することが可能であるとともに、衣類、小物類等を身に付ける順番に、外れたりズリ落ちたりさせることなく、円滑に取り外して着衣したりポケットに収納することが可能で、さらに、未使用時にハンガー自体を保持・保管することが可能なハンガーセットが提供される。
【考案を実施するための最良の形態】
【００１５】
以下、本考案を実施するための最良の形態を図面を参照しつつ具体的に説明する。
【００１６】
図１は、本考案のハンガーセットに用いられる懸架本体の一の実施の形態を模式的に示す斜視図であり、図１（ａ）は、未使用時、複数のハンガー懸架部がフレーム部内に鉛直方向に整列して平坦の状態となった場合、図１（ｂ）は、使用時、複数のハンガー懸架部が使用者に向かって突出した状態となった場合をそれぞれ示す。図２〜図６は、それぞれ本考案のハンガーセットに用いられる複数のハンガーの一の実施の形態を模式的に示す正面図及び斜視図である。図７は、本考案のハンガーセットに衣類、小物類を掛け、収納した状態を模式的に示す説明図である。
【００１７】
図１〜７に示すように、本考案のハンガーセットは、使用者が脱いだ衣類５（図７には、上着５ａ、シャツ５ｄ、小物類５ｅを示す）を掛ける複数のハンガー１（図２には、上着用ハンガー１ａ、ネクタイ用ハンガー１ｂ、ズボン用ハンガー１ｃ、シャツ用ハンガー１ｄ、小物類用ハンガー１ｅをそれぞれ示す）と、フレーム部２１及びフレーム部２１に配設された複数のハンガー懸架部２２（図１には、第１のハンガー懸架部２２ａ、第２のハンガー懸架部２２ｂ、第３のハンガー懸架部２２ｃ、第４のハンガー懸架部２２ｄ、第５のハンガー懸架部２２ｅを示す）を有する懸架本体２とを備えたハンガーセットであって、複数のハンガー１（１ａ、１ｂ、１ｃ、１ｄ、１ｅ）が、それぞれ衣類５の種類別の形状に対応した形状を有し、複数のハンガー懸架部２２（２２ａ、２２ｂ、２２ｃ、２２ｄ、２２ｅ）が、未使用時にはフレーム部２１内に鉛直方向に整列して平坦の状態となるように、また使用時には使用者に向かって突出した状態となるように、フレーム部２１内を水平軸Ｙ周りに回動・固定可能に枢着され、さらに、複数のハンガー懸架部２２のうち、フレーム部２１の上方側に配設されたもの程、使用時における懸架部位Ｘが使用者により近接して突出するように配設されてなり、使用者が脱いだ衣類５を、脱衣順に、対応する形状の複数のハンガー１（例えば、小物類用ハンガー１ｅ、上着用ハンガー１ａ、ネクタイ用ハンガー１ｂ、ズボン用ハンガー１ｃ、シャツ用ハンガー１ｄの順番）にそれぞれ掛けた後に、衣類５を掛けたハンガー１のそれぞれを、ハンガー懸架部２２に、その下方側に配設されたものから順番に（２２ｅ、２２ｄ、２２ｃ、２２ｂ、２２ａの順番に）円滑に懸架することが可能であるとともに、ハンガー懸架部２２の、上方側に配設されたものから順番に（２２ａ、２２ｂ、２２ｃ、２２ｄ、２２ｅの順番に）前記ハンガーを円滑に脱離させて着衣・収納することが可能であることを特徴とするものである。
【００１８】
ここで、複数のハンガー１は、図２に示すように、それぞれ衣類の種類別の形状に対応した形状を有することが好ましいが、図２に示す形状に限定されるものではなく、適宜最適な形状に変更することができる。また、複数のハンガー懸架部２２は、フレーム部２１内を水平軸Ｙ周りに回動・固定可能に枢着されるが、その枢着機構・手段には特に制限はなく、汎用されているものを適宜用いることができる。また、ハンガー１の材質としては特に制限はないが、例えば、木材、プラスチック、金属・合金等の汎用されているものを適宜用いることができる。中でも、木材が、環境負荷の減少の面から好ましい。さらに、懸架本体２におけるフレーム部２１、ハンガー懸架部２２及び吊り下げ部２３の材質も同様である。
【００１９】
このように構成することによって、本実施の形態のハンガーセットの１セットを用いるだけで、衣類・小物類の脱衣・脱着時（例えば、帰宅直後における外出着から普段着に着替える時、及び家を出る時における普段着から外出着に着替える時）等に、衣類、小物類等を脱衣・脱着する順番に、皺や型崩れを発生させたり紛失・損傷させることなく、円滑かつ容易に掛けたり収納することが可能であるとともに、衣類、小物類等を身に付ける順番に、外れたりズリ落ちたりさせることなく、円滑に取り外して着衣したりポケットに収納することが可能となる。また、脱衣・脱着する順番が異なる場合であっても、先に脱衣・脱着したものから順番に対応する形状のハンガーに掛けて、ハンガー懸架部に、その下方側に配設されたものから順番に円滑に懸架することが可能であり、脱衣・脱着の順序を問わず円滑な作業を実現することができる。
【００２０】
図８に示すように、本実施の形態においては、未使用時に、複数のハンガー１（１ａ、１ｂ、１ｃ、１ｄ、１ｅ）を整列させた状態で保持することが可能なハンガー保持体３をさらに備えたものであることが好ましい。
【００２１】
このように構成することによって、未使用時にハンガーを簡易に保持・保管することが可能となる。
【００２２】
ハンガー保持体３は、その上端側に、水平方向に回転自在な吊り下げ部３１を有するとともに、水平方向に整列した、後述するハンガー１の突起１１と着脱自在なハンガー保持用溝３２を有するものであることが好ましい。なお、吊り下げ部３１を水平方向に回転自在なものとする手段としては、特に制限はなく、汎用されているものを用いることができる。なお、ハンガー保持用溝３２の構成としては、後述するハンガー懸架部の懸架用溝２２ｆと同様とすることができる。
【００２３】
このように構成することによって、ハンガー保持体３自体を容易に、鴨居、壁フック、箪笥のハンガー・バー等に吊り下げることが可能となり、ハンガーの保持・保管を容易化、確実化することが可能となる。
【００２４】
本実施の形態においては、懸架本体２は、その上端側に、水平方向に回転自在な吊り下げ部２３を有することが好ましい。この場合も、吊り下げ部３２を水平方向に回転自在なものとする手段としては、特に制限はなく、汎用されているものを用いることができる。
【００２５】
このように構成することによって、懸架本体２自体を容易に、鴨居、壁フック、箪笥のハンガー・バー等に吊り下げることが可能となる。
【００２６】
また、懸架本体２のフレーム部２１は、上下に縦長の長方形状の枠体であり、かつハンガー懸架部２２は、長方形状の板状体であることが好ましい。
【００２７】
このように構成することによって、ハンガー懸架部２２が、未使用時にはフレーム部２１内に鉛直方向に整列して平坦の状態となるように、また、使用時には使用者に向かって突出した状態となるようにすることが可能となる。
【００２８】
ハンガー懸架部２２は、使用者側に突出した先端側に懸架用溝２２ｆを有し、かつハンガー１が、上端側に懸架用溝２２ｆと着脱自在な突起１１を有することが好ましい。この場合、図２（ａ）に示すように、例えば、突起１１は、球状体１１ａと棒状部１１ｂとから構成するとともに、懸架用溝２２ｆは、例えば、図９に示すように、突出した前面部側にスリット２２ｇを有するとともに、半球状の凹部２２ｈを有するようにすることが好ましい。
【００２９】
このように構成することによって、突起１１の棒状部１１ｂをスリット２２ｇに水平方向に挿入してから下方に引き下げることで、球状体１１ａを半球状の凹部２２ｈに簡易に係止させることができ、ハンガー１のそれぞれを、ハンガー懸架部２２に円滑に懸架することが可能となる。
【００３０】
なお、図７に示すように、懸架本体２のフレーム部２１の上下の長さが十分に長くなるように構成して、ハンガー懸架部２２の最下端部に、小物類用ハンガー１ｅが懸架されるように構成してもよい。このように構成することによって、小物類用ハンガー１ｅの上に、後から丈の長い衣類５ａ、５ｄが被覆された場合であっても、どのような小物類５ｅが保存されているか目視によって確認することができる。
【００３１】
本実施の形態においては、複数のハンガー１として、それぞれ、小物類用ハンガー１ｅ、上着用ハンガー１ａ、ネクタイ用ハンガー１ｂ、ズボン用ハンガー１ｃ及びシャツ用ハンガー１ｄに対応するものを含み、これらを脱衣、脱着順に、懸架本体２のハンガー懸架部２２に、その下方側に配設されたものから順番に上方側に向かって円滑に懸架することが可能な構成とすることが好ましい。
【００３２】
このように、ハンガー１を衣類等の形状に対応した形状とすることによって、脱衣・脱着する際、順番に、円滑かつ容易に、また、着衣・収納する際に、ズリ落ち・型崩れを防止しつつ、順番に、円滑かつ容易に作業を行うことが可能となる。
【００３３】
以下、本考案のハンガーセットの使用法について説明する。まず、図１（ａ）に示すように、鉛直方向に整列させて平坦の状態としたハンガー懸架部２２のそれぞれを、図２（ｂ）に示すように、回転により上方に引き上げ、水平にする。なお、図示はしないが、ハンガー懸架部２２の水平を保持するためバネ等の手段でハンガー懸架部２２は固定される。脱衣した衣類を、脱衣順に、ハンガー保持体３から取り外したハンガー１（脱衣した衣類に対応した形状のもの）に掛けた後、ハンガー懸架部２２に、その下方側に配設されたものから順番に（２２ｅ、２２ｄ、２２ｃ、２２ｂ、２２ａの順番に）衣類を掛けたハンガー１の突起１１を、ハンガー懸架部２２の懸架用溝２２ｆに係合させることによってハンガー１を懸架する。このような、衣類を掛けたハンガー１の懸架本体２への懸架は、予め、懸架本体２を吊り下げ部２３によって、鴨居等の所定箇所に吊り下げてから行うことが作業性の面から好ましい。上着（図７では符号５ｄ）、ネクタイ、ズボン、シャツ（図７では符号５ｄ）の順番に脱衣するのであれば、最下段の第５のハンガー懸架部２２ｅには上着用ハンガー１ａ、下から二段目の第４のハンガー懸架部２２ｄにはネクタイ用ハンガー１ｂ、下から三段目の第３のハンガー懸架部２２ｃにはズボン用ハンガー１ｃ、下から四段目の第２のハンガー懸架部２２ｂにはシャツ用ハンガー１ｄを掛けることになる。必要に応じ、小物類（図７では符号５ｅ）を入れた小物類用ハンガー１ｅを一番初めに最下段の第５のハンガー懸架部２２ｅに掛けて、その上方側に、順次、衣類を掛けた上述の他のハンガーを懸架してもよい。
【００３４】
着衣する場合は、上述の脱衣の場合とは反対に、ハンガー懸架部２２の、上方側に配設されたものから順番に（２２ａ、２２ｂ、２２ｃ、２２ｄ、２２ｅの順番に）ハンガー１を円滑に脱離させて着衣・収納し、着衣・収納した衣類のハンガーはそれぞれハンガー保持体３に保持させる。全ての着衣・収納が完了した時点で、ハンガー懸架部２２のそれぞれの先端を、回転により下方に引き下げ、鉛直方向に整列させて平坦の状態（取り扱い易い状態）として、吊り下げ部２３によって、鴨居等の所定箇所に、ハンガー保持体３ともども吊り下げて保管する。
【産業上の利用可能性】
【００３５】
本考案のハンガーセットは、一般家庭で有効に利用されるとともに、脱衣・着衣をすることが行われる旅館等の各種宿泊施設、スポーツ施設等に関する分野で有効に利用される。
【図面の簡単な説明】
【００３６】
【図１】本考案のハンガーセットに用いられる懸架本体の一の実施の形態を模式的に示す斜視図であり、図１（ａ）は、未使用時、複数のハンガー懸架部がフレーム部内に鉛直方向に整列して平坦の状態となった場合、図１（ｂ）は、使用時、複数のハンガー懸架部が使用者に向かって突出した状態となった場合をそれぞれ示す。
【図２】本考案のハンガーセットに用いられる上着用ハンガーの一の実施の形態を模式的に示し、図２（ａ）は正面図であり、図２（ｂ）は斜視図である。
【図３】本考案のハンガーセットに用いられるネクタイ用ハンガーの一の実施の形態を模式的に示し、図３（ａ）は正面図であり、図３（ｂ）は斜視図である。
【図４】本考案のハンガーセットに用いられるズボン用ハンガーの一の実施の形態を模式的に示し、図４（ａ）は正面図であり、図４（ｂ）は斜視図である。
【図５】本考案のハンガーセットに用いられるシャツ用ハンガーの一の実施の形態を模式的に示し、図５（ａ）は正面図であり、図５（ｂ）は斜視図である。
【図６】本考案のハンガーセットに用いられる小物類用ハンガーの一の実施の形態を模式的に示し、図６（ａ）は正面図であり、図６（ｂ）は斜視図である。
【図７】本考案のハンガーセットに衣類、小物類を掛け、収納した状態を模式的に示す説明図である。
【図８】本考案のハンガーセットに用いられるハンガー保持体の一の実施の形態を模式的に示す斜視図である。
【図９】本考案のハンガーセットに用いられる懸架用溝の一の実施の形態を模式的に示し、図９（ａ）は平面図、図９（ｂ）はそのＡ−Ａ線における斜視図である。
【符号の説明】
【００３７】
１：    ハンガー
１ａ：  上着用ハンガー
１ｂ：  ネクタイ用ハンガー
１ｃ：  ズボン用ハンガー
１ｄ：  シャツ用ハンガー
１ｅ：  小物類用ハンガー
２：    懸架本体
３：    ハンガー保持体
５：    衣類
５ａ:  上着
５ｄ：  シャツ
５ｅ：  小物類
１１：  突起
１１ａ：球状体
１１ｂ：棒状部
２１：  フレーム部
２２：  ハンガー懸架部
２２ａ：第１のハンガー懸架部
２２ｂ：第２のハンガー懸架部
２２ｃ：第３のハンガー懸架部
２２ｄ：第４のハンガー懸架部
２２ｅ：第５のハンガー懸架部
２２ｆ：懸架用溝
２２ｇ：スリット
２２ｈ：凹部
２３：  吊り下げ部
３１：  吊り下げ
３２：  ハンガー保持用溝
Ｘ：    懸架部位
Ｙ：    水平軸
【図１】
0003118371.tif 000003
【図２】
0003118371.tif 000004
【図３】
0003118371.tif 000005
【図４】
0003118371.tif 000006
【図５】
0003118371.tif 000007
【図６】
0003118371.tif 000008
【図７】
0003118371.tif 000009
【図８】
0003118371.tif 000010
【図９】
0003118371.tif 000011